(57)【要約】【課題】ペットのイタズラ等によって破れることを防ぐことのできるペーパーシート及びペット用トイレシーツを提供する。【解決手段】液体を透過させる透液性の表面シート部２、不透液性の裏面シート部３及び両シート部間に介在する液保持性の吸水体部４を備えたペット用トイレシーツ１において、表面シート部２を、不織布２１を二層積層して構成し、その坪量を１０〜４０ｇ／ｍ2とし、不織布２１が二層に積層された状態で、その縦方向、横方向の引っ張り強度をいずれも２０．０Ｎ／５ｃｍ以上とし、表面シート部２上に作成する直径５ｃｍの仮想円に向けて流し入れた生理食塩水３０ｃｃが１１．５秒以内に吸水される構成とする。【選択図】図２
2015144582.tif 000002
【特許請求の範囲】
【請求項１】
液体を透過させる透液性の表面シート部、不透液性の裏面シート部及び両シート部間に介在する液保持性の吸水体部を備えて構成されるペーパーシートであって、
前記表面シート部が、１０〜４０ｇ／ｍ2の坪量の不織布で構成され、縦方向、横方向の引っ張り強度がいずれも２０．０Ｎ／５ｃｍ以上である、
ことを特徴とするペーパーシート。
【請求項２】
前記不織布は二層以上に積層されてなる、
ことを特徴とする請求項１に記載のペーパーシート。
【請求項３】
前記表面シート部上に仮想の１８ｃｍ2以上の面積部を形成し、この面積部に向けて一度に生理食塩水３０ｃｃを流し入れたとき、前記生理食塩水３０ｃｃは１１．５秒以内に吸水され、その吸水が終了した１０分後に、少なくとも前記表面シート部の前記生理食塩水が浸透した領域を覆うように吸水性シートを載置して１０ｋｇの錘を載せたとき、前記吸水性シートへ逆戻りする水分の重量は０．７グラム未満である、
ことを特徴とする請求項１又は請求項２に記載のペーパーシート。
【請求項４】
請求項１から請求項３の何れか１項に記載のペーパーシートを備えて構成される、
ことを特徴とするペット用トイレシート。
【発明の詳細な説明】
【技術分野】
【０００１】
本発明は、例えば、犬や猫等のペットが引っ掻いたり、噛んだりしても破れ難いペーパーシート及びペット用トイレシートに関する。
【背景技術】
【０００２】
犬や猫等のペットを室内で飼育する際、ペットが排泄した尿等の排泄物を吸収するために、ペット用トイレシートが使用されている。ペット用トイレシートは、そのほとんどのタイプにおいて、液透過性の表面シート、液不透過性の裏面シート及び両シート間に介在する液保持性の吸収体から構成されている。このようなペット用トイレシートに対し、いたずらやストレス等により、ペットが表面シートを引き裂いて破き、吸収体を噛みちぎって、これに含まれるパルプ繊維や吸水性ポリマーを食べてしまうという問題がある。
【０００３】
吸水性ポリマーは、犬や猫等が食べてしまうと、それ自体が無毒であるのでそのまま便として排泄されるのが通常であるが、場合によって消化管内で膨張し、例えば、腸閉塞等の原因になってしまう。これを受け、下記特許文献１，２では補強部材としての網状シートを表面シートと吸収体との間に配設する構成により、表面シートの強度を高めて引き裂かれないようにして、吸水性ポリマーが食べられるのを防ぐ発明が提案されている。
【先行技術文献】
【特許文献】
【０００４】
【特許文献１】特開２００８−１３６３７７号公報
【特許文献２】特開２０１１−２０５９７３号公報
【発明の概要】
【発明が解決しようとする課題】
【０００５】
しかし、上記特許文献１，２で開示される網状シートを、従来のペット用トイレシートに付加するのであれば、原材料費としてその分が純粋にコスト高となってしまう。また、従来のペット用トイレシートを製造する製造装置で、網状シートを表面シートと吸収体との間に配設する構成を達成することが不可能であるので、新たな製造装置を導入する必要に迫られる。したがって、網状シートといった異質な部材を採用しないで、すなわち原材料費をできるだけ抑え、かつ新たな設備を導入することも不要とした上で、表面シートをペットが破くことのできない新たなペット用トイレシートの登場が切望されている。
【０００６】
本発明は、上記実情に鑑み提案され、表面シートに強度を持たせて引き裂かれるのを防ぐことを、新たな設備を導入する必要がなく、原材料費をできるだけ抑えた上で達成し、かつ、吸水性能も高めたペーパーシート及びペット用トイレシートを提供することを目的とする。
【課題を解決するための手段】
【０００７】
本件の発明者はこのたび、ペーパーシートを構成する表面シート部に関し、適切な坪量の不織布で構成し、また、不織布を二層以上積層して構成した場合、例えば、不織布を二層積層して構成した場合に、その引っ張り強度において、不織布一枚のそれを単純に二倍にした以上の強度が得られる、所謂相乗効果が認められることを見いだした。本発明は、この知見に基づき構築されている。また、不織布を二層以上積層して構成した場合に、吸水体部において水分の拡散速度が高まり、その吸水性が飽和することなく速い吸水が促され、かつ排泄した尿等の表面シート部への逆戻りも抑えられることが分かった。
【０００８】
すなわち、本発明は、上記目的を達成するため、液体を透過させる透液性の表面シート部、不透液性の裏面シート部及び両シート部間に介在する液保持性の吸水体部を備えて構成されるペーパーシートであって、前記表面シート部が、１０〜４０ｇ／ｍ2の坪量の不織布で構成され、縦方向、横方向の引っ張り強度がいずれも２０．０Ｎ／５ｃｍ以上であることを特徴とする。
【０００９】
特に、上記不織布は二層以上に積層されてなることが好ましい。
【００１０】
また、本発明は、上記表面シート部上に仮想の１８ｃｍ2以上の面積部を形成し、この面積部に向けて生理食塩水３０ｃｃを一度に流し入れたとき、前記生理食塩水３０ｃｃは１１．５秒以内に吸水され、その吸水が終了した１０分後に、少なくとも前記表面シート部の前記生理食塩水が浸透した領域を覆うように吸水性シートを載置して１０ｋｇの錘を載せたとき、前記吸水性シートへ逆戻りする水分の重量は０．７グラム未満である、ことを特徴とするペーパーシートである。さらに、本発明は、上記ペーパーシートを備えて構成されるペット用トイレシートである。
【発明の効果】
【００１１】
本発明は、液体を透過させる透液性の表面シート部、不透液性の裏面シート部及び両シート部間に介在する液保持性の吸水体部を備えて構成されるペーパーシートに係り、表面シート部が１０〜４０ｇ／ｍ2の坪量の不織布で構成され、縦方向、横方向の引っ張り強度がいずれも２０．０Ｎ／５ｃｍ以上である構成を備える。１０〜４０ｇ／ｍ2の坪量の不織布は、ペットが表面シート部を引き裂くのを困難にするとともに、確実に原材料費を抑えるという観点から合理的であり、新たな設備の導入も不要として廉価なペーパーシートを提供することができる。さらに、縦方向、横方向の引っ張り強度がいずれも２０．０Ｎ／５ｃｍ以上であるので、ペットが表面シート部をどの方向に引き裂こうとしても、これを防ぐことができる十分な強度を有しているといえる。
【００１２】
特に、本発明は、不織布が二層以上に積層されて構成されている。これにより、不織布を二層積層して構成したときの引っ張り強度が、不織布一枚のそれを単純に二倍にした相加効果以上の所謂相乗効果が認められる表面シート部となって、ペットが表面シート部を引き裂いて破き難いペーパーシートを構成することができる。また、不織布を二層以上積層することは、原材料費を抑えることができるとともに、従来の設備により製造することができるから、新たな設備の導入も不要となる。したがって、ペットが表面シート部を引き裂いて破くようなことを防ぐことのできる十分な強度を有するにもかかわらず、合理的な価格のペーパーシートを提供することができる。
【００１３】
また、本発明は、上記表面シート部上に仮想の１８ｃｍ2以上の面積部を形成し、この面積部に向けて生理食塩水３０ｃｃを一度に流し入れたとき、生理食塩水３０ｃｃは１１．５秒以内に吸水される構成であり、吸水スピードが従来に比べて優れている。すなわち、表面シート部の構造において１０〜４０ｇ／ｍ2の坪量の不織布で構成され、また、不織布が二層以上積層されることで、水分が広く吸水体部に拡散する構成となって、生理食塩水３０ｃｃを１１．５秒以内に吸水することができるようになる。また、生理食塩水３０ｃｃの吸水が終了した１０分後に、少なくとも表面シート部の生理食塩水が浸透した領域を覆うように吸水性シートを載置して１０ｋｇの錘を載せたとき、吸水性シートへ逆戻りする水分の重量が０．７グラム未満の構成であり、水分の逆戻りを防ぐ効果も従来に比べて優れている。その理由も、生理食塩水が吸水体部に広く拡散することによって、例えば、本発明品における吸水体部の単位面積当たりの吸水力が従来のものと同等であっても、その吸水性が飽和することがなくなるため、排泄した尿等の逆戻りを抑えることができるからである。
【００１４】
そして、上記ペーパーシートを備えてペット用トイレシートを構成することにより、本発明は、原材料費をできるだけ抑え、かつ新たな設備の導入を不要として上で、表面シートに強度を持たせて引き裂かれるのを防ぐことができ、吸水力においても優れるペット用トイレシートを合理的な価格で提供することができる。
【図面の簡単な説明】
【００１５】
【図１】本発明の実施形態に係るペット用トイレシートの概略斜視図である。
【図２】本発明の実施形態に係るペット用トイレシートについて、その構成要素を分離して示す概略分離斜視図である。
【図３】図１におけるＩＩＩ−ＩＩＩ概略断面図である。
【発明を実施するための形態】
【００１６】
以下、本発明に係る一実施形態を図面に基づいて詳細に説明する。この一実施形態は、本発明の構成を具現化した例示に過ぎず、本発明は、特許請求の範囲に記載した事項を逸脱することがなければ、種々の設計変更を行うことができる。なお、生理食塩水とは、０．９ｗ／ｖ％の塩化ナトリウム水溶液をいい、体液とほぼ等張であるという特徴がある。
【００１７】
本発明に係るペット用トイレシート１は、図１、図２及び図３に示すように、液体を透過させる透液性の表面シート部２、不透液性の裏面シート部３及び両シート部間に介在する液保持性の吸水体部４を備えて構成されている。特に、表面シート部２は、不織布２１が二層以上積層されて構成されている。本実施形態のペット用トイレシート１では、不織布２１が二層積層されて構成されている。
【００１８】
表面シート部２を構成する不織布２１には、例えば、所謂スパンボンド不織布と呼ばれ、スパンボンド法によりウェブが形成されているものを採用する。表面シート部２は、その強度や水分の拡散速度を高めるため、二層以上に積層された不織布２１の全体で１０〜４０ｇ／ｍ2の坪量（好ましくは、２０〜４０ｇ／ｍ2）のものに調整されることが好ましい。また、二層以上に積層された不織布２１を互いに貼り付けてペット用トイレシート１を構成すれば、さらに好ましい形態となる。なお、本実施形態で採用されている不織布２１は後述するように、二層に積層された状態で縦方向、横方向の引っ張り強度がいずれも２０．０Ｎ／５ｃｍ以上となるものである。本発明において、不織布２１の「縦方向」とは、製造機械から流れ出てくる不織布の流れ方向（長手方向）をいい、これと直角の方向を「横方向」という。
【００１９】
不透液性の裏面シート部３は防水層であり、従来から使用されている防水加工された紙、プラスチック、フィルムなどとすればよい。表面シート部２と裏面シート部３との間に介在する液保持性の吸水体部４についても、パルプ４１中に吸水ポリマー４２を分散配置させた従来使用されているものを採用することができる。また、裏面シート部３と吸水体部４との間には、吸水性の包合紙５を配設することも好ましい形態といえる。
【００２０】
本発明に係るペット用トイレシート１は、特に図２及び図３に示すように、表面シート部２から裏面シート部３へ向けて、二層に積層された不織布２１、パルプ４１に吸水ポリマー４２が分散配置された吸水体部４、この吸水体部４を包合する吸水性の包合紙５、防水加工された紙、プラスチック、フィルムなどからなる裏面シート部３の順で積層、接合されて構成されている。なお、図３に示すように、ペット用トイレシート１の隅部では、二層に積層された不織布２１のうちの一方の不織布２１の端部が、包合紙５によって吸水体部４側に抱きかかえられるような形態を構成している。また、不織布２１を二枚重ねる程度であれば、従来と厚みやシート（シーツ）の柔らかさ等がほぼ同程度となるため、従来の製造装置・設備を用いても問題なくペット用トイレシート１を製造することができる。
【実施例】
【００２１】
以下、上述したような二層積層された不織布２１を備えて構成した本実施形態に係るペット用トイレシート１に対して実施した各種の試験の概要、及びその結果を説明する。
【００２２】
＜引っ張り強度試験＞
本実施形態に係るペット用トイレシート１における不織布２１を二層積層した表面シート部２に対し、株式会社東洋ボールドウィン製ＴＥＮＳＩＬＯＮ（登録商標）を用い、つかみ間隔２００ｍｍ、引張速度１００ｍｍ／ｍｉｎの条件下で引張試験を行った。比較例１，２は、市販のペット用トイレシーツにおける表面シート部（単層の不織布からなる）に対し、本実施形態に対する試験と同条件で引張試験を行った。その結果を下記［表１］に示す。表中の「縦」とは表面シート部（不織布）の「縦方向」をいい、「横」とは「横方向」をいう。なお、試料として用いた表面シート部（不織布）の幅は５０ｍｍである。また、このような引張試験は、ＪＩＳ  Ｌ  １０９６の規定に準じたものである。
【００２３】
【表１】
2015144582.tif 000003
【００２４】
上記［表１］から、本実施形態に係るペット用トイレシート１における不織布２１は、二層に積層された状態で、縦方向、横方向の引っ張り強度がいずれも２０．０Ｎ／５ｃｍ以上であるのに対し、比較例１，２は縦方向の引張強度がそれぞれ６．２Ｎ／５ｃｍ、１０．１Ｎ／５ｃｍ（いずれも平均値）である等、縦方向の引張強度に乏しいことが分かった。特に、本実施形態に係るペット用トイレシート１を構成する二層に積層した不織布２１の縦方向の引張強度は、比較例１，２の表面シート部におけるそれを単純に二倍した以上の値であるので、相乗効果が現れているといえる。
【００２５】
＜吸水速度試験及び逆戻り試験＞
また、小型犬が用を足す（小便をする）場面を想定し、本実施形態に係るペット用トイレシート１の表面シート部２上の領域（例えば、四隅の一角（１５ｃｍ×１５ｃｍ程度の大きさ））に仮想の１８ｃｍ2以上、好ましくは１８〜５０ｃｍ2の面積部として例えば、直径５ｃｍの仮想円（１９．６２５ｃｍ2）を形成し、この仮想円に向けて３０ｃｃの生理食塩水を一度で流し入れ、ペット用トイレシート１がその水分を吸水する速度を検査した。なお、生理食塩水は、張った状態の表面シート部２へ流し入れている。また、比較例１，２に対しても同様に試験した。その結果を、下記［表２］に示す。
【００２６】
さらに、３０ｃｃの生理食塩水を吸水したペット用トイレシート１に対し、その吸水終了１０分後の表面シート部２上に、生理食塩水が浸透した領域を覆うようにして吸水性シートとしての例えば、濾紙（例えば、１０ｃｍ×１０ｃｍ程度の大きさのもの、精密濾過用濾紙［Ｎｏ．１６４０］を採用）を載置し、続いて、この濾紙上に１０ｋｇの錘を載せて、この濾紙へ逆戻りする水分の重量を検査した。比較例１，２に対しても同様に試験した。その結果を、下記［表３］に示す。
【００２７】
【表２】
2015144582.tif 000004
【表３】
2015144582.tif 000005
【００２８】
上記［表２］、［表３］から、本実施形態に係るペット用トイレシート１は、水分の吸水スピード（９．３１秒／３０ｃｃ）に優れ、かつ、逆戻りの抑制効果（０．４ｇ）においても優れることが理解される。本実施形態に係るペット用トイレシート１は、その検査の様子から、１０〜４０ｇ／ｍ2の坪量であったり、不織布２１を二層に積層したりしたことにより、水分が広く吸水体部に拡散することとなって、生理食塩水をいち早く吸水体部で吸水することができるようになったと考えられる。また、水分の逆戻りを防ぐ効果も、生理食塩水が吸水体部に広く拡散することによって、例えば、本発明品における吸水体部の単位面積当たりの吸水力が従来のものと同等であっても、その吸水性が飽和することがなくなるために、優れた逆戻り抑制効果が発揮されたのだと考えられる。
【００２９】
したがって、本発明では、坪量を適切に調整し、不織布２１を二層積層して構成することで、その引っ張り強度が不織布一枚のそれを単純に二倍にした相加効果以上の所謂相乗効果が認められる表面シート部２となって、ペットが引き裂いて破き難いペット用トイレシート１を構成することができる。特に、新たな事項が不織布２１を二層以上積層するのみであって、その他は従来どおりで製造することができるから、原材料費を抑えることができ、新たな設備の導入も不要となり、合理的な価格のペット用トイレシート１を提供することができる。
【００３０】
また、表面シート部２は、１０〜４０ｇ／ｍ2の坪量であり、縦方向、横方向の引っ張り強度がいずれも２０．０Ｎ／５ｃｍ以上である構成を備えるので、合理的な坪量でありながら、ペットが破くことの難しい強度を達成することができる。本発明は、表面シート部２上に形成した直径５ｃｍの仮想円に向けて３０ｃｃの生理食塩水を流し入れたとき、生理食塩水３０ｃｃが１１．５秒以内（好ましくは１０秒以内、さらに好ましくは９．５秒以内）に吸水される構成であり、生理食塩水３０ｃｃの吸水が終了した１０分後に表面シート部上の生理食塩水が浸透した領域を覆うように濾紙を載置し、１０ｋｇの錘を載せたときに濾紙へ逆戻りする水分の重量が０．７グラム未満（好ましくは０．５グラム以下、さらに好ましくは０．４グラム以下）の構成であり、水分の逆戻りを防ぐ効果も従来に比べて優れている。適切な坪量の調整や、不織布２１を二層積層して構成することで、生理食塩水が吸水体部に広く拡散することとなって、例えば、本発明品における吸水体部の単位面積当たりの吸水力が従来のものと同等であっても、その吸水性が飽和することがなくなるため、吸水速度が速くなり、排泄した尿等の逆戻りを抑えることができるからである。
【００３１】
以上、本発明について出願人が最良であると信じる実施形態の１つを詳述したが、本発明は、特許請求の範囲に記載された事項を逸脱することがなければ、上記実施形態に限定されることなく、種々の設計変更を行う事が可能である。例えば、特許請求の範囲に記載された事項を逸脱することがなければ、サーマルボンド法、ケミカルボンド法等で製造された不織布を用いて構成することでも構わない。この場合にも、表面シート部が１０〜４０ｇ／ｍ2の坪量であり、縦方向、横方向の引っ張り強度がいずれも２０．０Ｎ／５ｃｍ以上である構成を備えることが好ましい形態となる。直径５ｃｍの仮想円に向けて流し入れた生理食塩水３０ｃｃが１１．５秒以内に吸水される構成であり、また、生理食塩水３０ｃｃの吸水が終了した１０分後に表面シート部上の生理食塩水が浸透した領域を覆うように濾紙を載置し、１０ｋｇの錘を載せたときに濾紙へ逆戻りする水分の重量が０．７グラム未満となれば、さらに好ましい形態である。なお、上記実施形態は、ペット用トイレシートに適用することを念頭に説明されているが、本発明の用途はペット用トイレシート限定されることなく、種々のペーパーシートに適用することができる。
【符号の説明】
【００３２】
１    ペット用トイレシート
２    表面シート部
２１  不織布
３    裏面シート部
４    吸水体部
４１  パルプ
４２  吸水ポリマー
５    包合紙
【図１】
2015144582.tif 000006
【図２】
2015144582.tif 000007
【図３】
2015144582.tif 000008